(57)【要約】【課題】フィルム６２に生じる応力の影響を減らすことを目的とする。【解決手段】表示装置は、フレキシブル基板１６及びフレキシブル基板１６に設けられた複数の発光素子４８を含むフレキシブルディスプレイ５６と、粘着層６４と、粘着層６４によってフレキシブルディスプレイ５６に貼り付けられたフィルム６２と、を有する。粘着層６４は、フレキシブルディスプレイ５６の表面において少なくとも１つの方向に直線状に並ぶ複数の空白領域６６を避けて設けられる。【選択図】図３
2018072618.tif 000002
【特許請求の範囲】
【請求項１】
フレキシブル基板及び前記フレキシブル基板に設けられた複数の発光素子を含むフレキシブルディスプレイと、
粘着層と、
前記粘着層によって前記フレキシブルディスプレイに貼り付けられたフィルムと、
を有し、
前記粘着層は、前記フレキシブルディスプレイの表面において少なくとも１つの方向に直線状に並ぶ複数の空白領域を避けて設けられることを特徴とする表示装置。
【請求項２】
請求項１に記載された表示装置において、
前記粘着層は、前記フィルムの外形に沿った周縁部を有し、
前記周縁部は、前記複数の空白領域の全体を囲むことを特徴とする表示装置。
【請求項３】
請求項２に記載された表示装置において、
前記フレキシブルディスプレイは、前記複数の発光素子を覆う封止層をさらに有し、
前記封止層は、有機膜と、前記有機膜を上下で挟んで前記有機膜の周囲で上下に接触して重なる一対の無機膜と、を有し、
前記粘着層は、前記有機膜との重複領域からはみ出すように設けられ、
前記複数の空白領域は、前記有機膜と重複する位置にあることを特徴とする表示装置。
【請求項４】
請求項１から３のいずれか１項に記載された表示装置において、
前記複数の空白領域は、第１方向に並ぶ複数の第１部分と、前記第１方向に交差する第２方向に並ぶ複数の第２部分と、を含むことを特徴とする表示装置。
【請求項５】
請求項４に記載された表示装置において、
前記複数の第１部分の幅と、前記複数の第２部分の幅は、異なる大きさになっていることを特徴とする表示装置。
【請求項６】
請求項５に記載された表示装置において、
前記フレキシブル基板は、長方形の外形を有し、
前記第１方向は、前記長方形の短辺に沿った方向であり、
前記第２方向は、前記長方形の長辺に沿った方向であり、
前記複数の第１部分の前記幅は、前記複数の第２部分の前記幅よりも大きいことを特徴とする表示装置。
【請求項７】
請求項１から６のいずれか１項に記載された表示装置において、
前記フレキシブル基板は、第１面及び第２面を有し、
前記フィルムは、前記第１面の側に設けられた第１フィルムと、前記第２面の側に設けられた第２フィルムと、を含み、
前記粘着層は、前記第１フィルムを貼り付けるための第１粘着層と、前記第２フィルムを貼り付けるための第２粘着層と、を含み、
前記複数の空白領域は、前記第１粘着層が避ける複数の第１空白領域と、前記第２粘着層が避ける複数の第２空白領域と、を含むことを特徴とする表示装置。
【請求項８】
請求項７に記載された表示装置において、
前記複数の第１空白領域と前記複数の第２空白領域は、少なくとも部分的に重なっていることを特徴とする表示装置。
【請求項９】
請求項８に記載された表示装置において、
前記複数の第１空白領域の少なくとも一部のグループ及び前記複数の第２空白領域の少なくとも一部のグループは、相互に重なって同一方向に並び、
前記複数の第１空白領域の前記少なくとも一部のグループの幅と、前記複数の第２空白領域の前記少なくとも一部のグループの幅とは、異なる大きさになっていることを特徴とする表示装置。
【請求項１０】
請求項９に記載された表示装置において、
前記複数の発光素子は、前記フレキシブル基板の前記第１面の前記側に設けられ、
前記複数の第１空白領域の前記少なくとも一部のグループの前記幅は、前記複数の第２空白領域の前記少なくとも一部のグループの前記幅よりも大きいことを特徴とする表示装置。
【請求項１１】
請求項９に記載された表示装置において、
前記複数の発光素子は、前記フレキシブル基板の前記第１面の前記側に設けられ、
前記複数の第１空白領域の前記少なくとも一部のグループの前記幅は、前記複数の第２空白領域の前記少なくとも一部のグループの前記幅よりも小さいことを特徴とする表示装置。
【請求項１２】
請求項８に記載された表示装置において、
前記複数の第１空白領域の第１領域及び前記複数の第２空白領域の第２領域は、相互に重なって同一方向に並び、
前記複数の第１空白領域の第３領域及び前記複数の第２空白領域の第４領域は、相互に重なって同一方向に並び、
前記第１領域の幅は、前記第２領域の幅よりも大きく、
前記第４領域の幅は、前記第３領域の幅よりも大きいことを特徴とする表示装置。
【発明の詳細な説明】
【技術分野】
【０００１】
本発明は、表示装置に関する。
【背景技術】
【０００２】
近年、有機発光ダイオード（OLED; Organic Light Emitting Diode）等の発光体を用いて曲げることが可能なシート状のディスプレイの開発が進んでいる（特許文献１）。また、補強のために、ディスプレイにはフィルムが貼り付けられる。
【先行技術文献】
【特許文献】
【０００３】
【特許文献１】特開２０１１−２２７３６９号公報
【発明の概要】
【発明が解決しようとする課題】
【０００４】
フィルムを貼り付けることでディスプレイの平坦化が容易になる。その一方で、ディスプレイを曲げるときには、フィルムの応力がディスプレイに影響を与える。
【０００５】
本発明は、フィルムに生じる応力の影響を減らすことを目的とする。
【課題を解決するための手段】
【０００６】
本発明に係る表示装置は、フレキシブル基板及び前記フレキシブル基板に設けられた複数の発光素子を含むフレキシブルディスプレイと、粘着層と、前記粘着層によって前記フレキシブルディスプレイに貼り付けられたフィルムと、を有し、前記粘着層は、前記フレキシブルディスプレイの表面において少なくとも１つの方向に直線状に並ぶ複数の空白領域を避けて設けられる。
【０００７】
本発明によれば、粘着層が空白領域を避けて設けられるので、複数の空白領域が直線状に並ぶ方向に平行な軸を中心にして表示装置を曲げると、空白領域ではフィルムに生じる応力が伝わらない。これにより、フィルムに生じる応力の影響を減らすことができる。
【図面の簡単な説明】
【０００８】
【図１】本発明の第１の実施形態に係る表示装置の平面図である。
【図２】図１に示す表示装置の使用状態を示す図である。
【図３】図１に示す表示装置のIII−III線断面の縦倍率を大きくした図である。
【図４】図１に示す表示装置のIV−IV線断面の縦倍率を大きくした図である。
【図５】図３のＶで示す部分の拡大図である。
【図６】第１の実施形態において粘着層及びフィルムの平面図である。
【図７】本発明の第２の実施形態に係る表示装置の粘着層及びフィルムを示す平面図である。
【図８】本発明の第３の実施形態に係る表示装置の使用状態を示す斜視図である。
【図９】図８に示す表示装置のIX−IX線断面の縦倍率を大きくした図である。
【図１０】図８に示す表示装置のＸ−Ｘ線断面の縦倍率を大きくした図である。
【図１１】第３の実施形態において第１粘着層及び第２粘着層の平面図である。
【図１２】第４の実施形態において第１粘着層及び第２粘着層の平面図である。
【図１３】本発明の第５の実施形態に係る表示装置の使用状態を示す斜視図である。
【図１４】図１３に示す表示装置のXIV−XIV線断面の縦倍率を大きくした図である。
【図１５】図１３に示す表示装置のXV−XV線断面の縦倍率を大きくした図である。
【図１６】第５の実施形態において第１粘着層及び第２粘着層の平面図である。
【発明を実施するための形態】
【０００９】
以下、本発明の実施形態について図面を参照して説明する。但し、本発明は、その要旨を逸脱しない範囲において様々な態様で実施することができ、以下に例示する実施形態の記載内容に限定して解釈されるものではない。
【００１０】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１１】
さらに、本発明の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１２】
［第１の実施形態］
図１は、本発明の第１の実施形態に係る表示装置の平面図である。表示装置１００として、有機エレクトロルミネッセンス表示装置を例に挙げる。表示装置１００は、例えば、赤、緑及び青からなる複数の画素（サブピクセル）を組み合わせて、フルカラーの画像を表示するようになっている。表示装置１００は、複数の画素がマトリクス状に配置された表示領域ＤＡを有する。表示装置１００には、外部との電気的接続のために第１フレキシブルプリント基板１０が接続されている。第１フレキシブルプリント基板１０には、画像を表示するための素子を駆動するための集積回路チップ１２が搭載されている。第１フレキシブルプリント基板１０には、第２フレキシブルプリント基板１４が接続されている。
【００１３】
図２は、図１に示す表示装置の使用状態を示す図である。表示装置１００は、表示領域ＤＡで折り曲げて携帯できるようになっている。この例では、折り曲げによって表示面が凹になる。以下、そのための構造を説明する。
【００１４】
図３は、図１に示す表示装置のIII−III線断面の縦倍率を大きくした図である。図４は、図１に示す表示装置のIV−IV線断面の縦倍率を大きくした図である。図５は、図３のＶで示す部分の拡大図である。
【００１５】
図５に示すように、表示装置１００は、フレキシブル基板１６を有する。フレキシブル基板１６は、矩形（例えば長方形）の外形を有する。フレキシブル基板１６は、第１面１６ａ及び第２面１６ｂを有する。フレキシブル基板１６は、ポリイミド樹脂やポリエチレンテレフタラート等から形成されている。フレキシブル基板１６には、それ自体が含有する不純物に対するバリアとなるアンダーコート層１８が形成されている。アンダーコート層１８は、シリコン酸化膜又はシリコン窒化膜等からなり、それらの積層構造であってもよい。アンダーコート層１８の上には半導体層２０が形成されている。半導体層２０にソース電極２２及びドレイン電極２４が電気的に接続し、半導体層２０を覆ってゲート絶縁膜２６が形成されている。ゲート絶縁膜２６の上にはゲート電極２８が形成され、ゲート電極２８を覆って層間絶縁膜３０が形成されている。ソース電極２２及びドレイン電極２４は、ゲート絶縁膜２６及び層間絶縁膜３０を貫通している。少なくとも半導体層２０、ソース電極２２、ドレイン電極２４及びゲート電極２８から薄膜トランジスタ３２が構成される。薄膜トランジスタ３２を覆うようにパッシベーション膜３４が設けられている。
【００１６】
パッシベーション膜３４の上には、平坦化層３６が設けられている。平坦化層３６の上には、複数の画素（サブピクセル）それぞれに対応するように、複数の下部電極３８（画素電極又は陽極）が設けられている。平坦化層３６は、少なくとも下部電極３８が設けられる面が平坦になるように形成される。平坦化層３６としては、感光性アクリル樹脂等の有機材料が多く用いられる。下部電極３８は、平坦化層３６及びパッシベーション膜３４を貫通するコンタクトホール４０によって、半導体層２０上のソース電極２２及びドレイン電極２４の一方に電気的に接続している。
【００１７】
平坦化層３６及び下部電極３８の上に、絶縁層４２が形成されている。絶縁層４２は、下部電極３８の周縁部に載り、下部電極３８の一部（例えば中央部）を開口させるように形成されている。絶縁層４２によって、下部電極３８の一部を囲むバンクが形成される。
【００１８】
下部電極３８上に発光層４４が設けられている。発光層４４は、下部電極３８ごとに別々に（分離して）設けられており、各画素に対応して青、赤又は緑で発光するようになっている。各画素に対応する色はこれに限られず、例えば、黄又は白等が追加されてもよい。発光層４４は、例えば、蒸着により形成される。あるいは、発光層４４は、図１に示す表示領域ＤＡを覆う全面に、複数の画素に亘るように形成してもよい。つまり、発光層４４を絶縁層４２上で連続するように形成してもよい。この場合、発光層４４は溶媒分散による塗布により形成する。発光層４４を複数の画素に亘るように形成する場合は、全サブピクセルにおいて白色で発光し、図示しないカラーフィルタを通して所望の色波長部分を取り出す構成になる。
【００１９】
発光層４４の上には、上部電極４６（共通電極又は陰極）が設けられている。上部電極４６は、バンクとなる絶縁層４２の上に載る。上部電極４６は、隣り合う下部電極３８の上方で連続している。発光層４４は、下部電極３８及び上部電極４６に挟まれ、両者間を流れる電流によって輝度が制御されて発光する。発光層４４と下部電極３８との間には、図示しない正孔輸送層及び正孔注入層の少なくとも一層を設けてもよい。発光層４４と上部電極４６との間には、図示しない電子輸送層及び電子注入層の少なくとも一層を設けてもよい。少なくとも下部電極３８、発光層４４及び上部電極４６から発光素子４８が構成される。複数の発光素子４８は、フレキシブル基板１６の第１面１６ａの側に設けられている。
【００２０】
封止層５０が、複数の発光素子４８を覆う。これにより、発光素子４８は水分から遮断される。封止層５０は、有機膜５２を有する。封止層５０は、ＳｉＮ、ＳｉＯｘなどの無機膜５４を含み、単一層でもよく、積層構造であってもよい。例えば、一対の無機膜５４が、アクリル等の樹脂などの有機膜５２を上下で挟んで、有機膜５２の周囲で上下に接触して重なっていてもよい。少なくともフレキシブル基板１６から封止層５０までの積層体から、図３及び図４に示すように、フレキシブルディスプレイ５６が構成される。フレキシブルディスプレイ５６は、フレキシブル基板１６、複数の発光素子４８及び封止層５０を含む。
【００２１】
図３及び図４に示すように、フレキシブルディスプレイ５６には、補強のためにカバーフィルム５８が貼り付けられている。カバーフィルム５８は、複数の発光素子４８が設けられる第１面１６ａの側に設けられている。カバーフィルム５８は、画像を表示できるように透明になっている。カバーフィルム５８の貼り付けは、カバー粘着層６０でなされている。カバー粘着層６０は、封止層５０に粘着し、カバーフィルム５８に粘着する。カバーフィルム５８は、封止層５０の保護にもなっている。
【００２２】
フレキシブルディスプレイ５６には、フィルム６２が貼り付けられている。フィルム６２は、複数の発光素子４８が設けられる第１面１６ａとは反対の第２面１６ｂの側に設けられている。フィルム６２の貼り付けは、粘着層６４でなされる。詳しくは、粘着層６４は、フレキシブル基板１６に粘着し、フィルム６２に粘着する。
【００２３】
図６は、第１の実施形態において粘着層及びフィルムの平面図である。粘着層６４は空白領域６６を避けて設けられる。複数の空白領域６６は、フレキシブルディスプレイ５６（その一部であるフレキシブル基板１６）の表面に対して、少なくとも１つの方向に直線状に並ぶ。その方向は、フレキシブル基板１６の外形である長方形の短辺に沿った方向である。粘着層６４は、フィルム６２の外形に沿った周縁部６４ａを有する。周縁部６４ａは、空白領域６６の全体を囲む部分である。粘着層６４は、図６に示すように、封止層５０の有機膜５２（図５参照）との重複領域からはみ出すように設けられている。空白領域６６は、有機膜５２と重複する位置にあり、有機膜５２からはみ出す位置まで形成されている。
【００２４】
粘着層６４と比較して、上述したカバー粘着層６０（図３参照）には空白領域がない。図３において、図２に示す折り曲げの方向を矢印で示してあり、折り曲げによって凹が形成される側にカバー粘着層６０がある。これに対して、折り曲げによって凸が形成される側（折り曲げの外周側）にある粘着層６４に空白領域６６が形成される。
【００２５】
本実施形態によれば、粘着層６４が空白領域６６を避けて設けられるので、複数の空白領域６６が直線状に並ぶ方向に平行な軸ＡＸ（図２参照）を中心にして、図２又は図３に示すように表示装置１００を曲げると、空白領域６６ではフィルム６２に生じる応力が伝わらない。これにより、フィルム６２に生じる応力の影響を減らすことができる。
【００２６】
［第２の実施形態］
図７は、本発明の第２の実施形態に係る表示装置の粘着層及びフィルムを示す平面図である。フレキシブル基板２１６は、長方形の外形を有する。第１方向Ｄ１は、長方形の短辺に沿った方向である。第２方向Ｄ２は、長方形の長辺に沿った方向である。粘着層２６４は、空白領域２６６を避けて設けられ、フレキシブル基板２１６及びフィルム２６２に粘着している。
【００２７】
複数の空白領域２６６は、第１方向Ｄ１に並ぶ複数の第１部分２６６ａ（例えば複数の第１部分２６６ａ）を有する。複数の空白領域２６６は、第１方向Ｄ１に交差（この例では直交）する第２方向Ｄ２に並ぶ複数の第２部分２６６ｂ（例えば１つの第２部分２６６ｂ）を含む。第１部分２６６ａの幅と、第２部分２６６ｂの幅は、異なる大きさになっている。例えば、第１部分２６６ａの幅Ｗ１は、第２部分２６６ｂの幅Ｗ２よりも大きい。その他の内容は、第１の実施形態で説明した内容が該当する。
【００２８】
［第３の実施形態］
図８は、本発明の第３の実施形態に係る表示装置の使用状態を示す斜視図である。この例では、表示領域ＤＡの表示面が凸になるように表示装置３００を折り曲げることを想定している。
【００２９】
図９は、図８に示す表示装置のIX−IX線断面の縦倍率を大きくした図である。図１０は、図８に示す表示装置のＸ−Ｘ線断面の縦倍率を大きくした図である。
【００３０】
フレキシブル基板３１６は、第１面３１６ａ及び第２面３１６ｂを有する。複数の発光素子３４８は、フレキシブル基板３１６の第１面３１６ａの側に設けられている。第１面３１６ａの側に第１フィルム３６８が設けられている。第１フィルム３６８は第１粘着層３７０によって貼り付けられている。具体的には、第１粘着層３７０は、封止層３５０及び第１フィルム３６８に粘着する。第２面３１６ｂの側に第２フィルム３７２が設けられている。第２フィルム３７２は第２粘着層３７４によって貼り付けられている。具体的には、第２粘着層３７４は、フレキシブル基板３１６及び第２フィルム３７２に粘着する。
【００３１】
図１１は、第３の実施形態において第１粘着層及び第２粘着層の平面図である。第１粘着層３７０及び第２粘着層３７４の間には、フレキシブル基板３１６を含むフレキシブルディスプレイ３５６が介在する。
【００３２】
第１粘着層３７０は第１空白領域３６６を避けて設けられている。複数の第１空白領域３６６は、第１方向Ｄ１に並ぶ複数の第１部分３６６ａ（例えば複数の第１部分３６６ａ）を有する。複数の第１空白領域３６６は、第１方向Ｄ１に交差（この例では直交）する第２方向Ｄ２に並ぶ複数の第２部分３６６ｂ（例えば１つの第２部分３６６ｂ）を含む。第１部分３６６ａの幅と、第２部分３６６ｂの幅は、異なる大きさになっている。例えば、第１部分３６６ａの幅Ｗ11は、第２部分３６６ｂの幅Ｗ22よりも大きい。
【００３３】
第２粘着層３７４は第２空白領域３７６を避けて設けられている。複数の第２空白領域３７６は、第１方向Ｄ１に並ぶ複数の第３部分３７６ａ（例えば複数の第３部分３７６ａ）を有する。複数の第２空白領域３７６は、第２方向Ｄ２に並ぶ複数の第４部分３７６ｂ（例えば１つの第４部分３７６ｂ）を含む。第３部分３７６ａの幅と、第４部分３７６ｂの幅は、異なる大きさになっている。例えば、第３部分３７６ａの幅Ｗ33は、第４部分３７６ｂの幅Ｗ44よりも大きい。
【００３４】
第１空白領域３６６と第２空白領域３７６は、少なくとも部分的に重なっている。複数の第１空白領域３６６の少なくとも一部のグループ及び複数の第２空白領域３７６の少なくとも一部のグループは、相互に重なって同一方向に並ぶ。例えば、複数の第１部分３６６ａ及び複数の第３部分３７６ａは、相互に重なって第１方向Ｄ１に並ぶ。複数の第２部分３６６ｂ及び複数の第４部分３７６ｂは、相互に重なって第２方向Ｄ２に並ぶ。
【００３５】
複数の第１空白領域３６６の少なくとも一部のグループの幅と、複数の第２空白領域３７６の少なくとも一部のグループの幅とは、異なる大きさになっている。複数の第１空白領域３６６の少なくとも一部のグループの幅は、複数の第２空白領域３７６の少なくとも一部のグループの幅よりも大きい。例えば、第１部分３６６ａの幅Ｗ11は、第３部分３７６ａの幅Ｗ33よりも大きい。第２部分３６６ｂの幅Ｗ22は、第４部分３７６ｂの幅Ｗ44よりも大きい。その他の内容は、第１〜２の実施形態で説明した内容が該当する。
【００３６】
［第４の実施形態］
図１２は、第４の実施形態において第１粘着層及び第２粘着層の平面図である。第１粘着層４７０及び第２粘着層４７４の間には、フレキシブルディスプレイ４５６が介在する。この例では、第１空白領域４６６と第２空白領域４７６の形状及び大きさが、第３の実施形態と逆になっている。
【００３７】
本実施形態によれば、複数の第１空白領域４６６の少なくとも一部のグループの幅は、複数の第２空白領域４７６の少なくとも一部のグループの幅よりも小さくなっている。例えば、第１空白領域４６６の全体が、第２空白領域４７６に含まれるようになっている。したがって、本実施形態は、第３の実施形態とは逆に、表示面が凹になるように表示装置を折り曲げるときに適している。
【００３８】
［第５の実施形態］
図１３は、本発明の第５の実施形態に係る表示装置の使用状態を示す斜視図である。この例では、表示領域ＤＡの表示面の一部が凸になり、他の一部が凹になるように、表示装置５００を折り曲げることを想定している。
【００３９】
図１４は、図１３に示す表示装置のXIV−XIV線断面の縦倍率を大きくした図である。図１５は、図１３に示す表示装置のXV−XV線断面の縦倍率を大きくした図である。第１粘着層５７０は第１空白領域５６６を避けて設けられている。第２粘着層５７４は第２空白領域５７６を避けて設けられている。
【００４０】
図１６は、第５の実施形態において第１粘着層及び第２粘着層の平面図である。第１粘着層５７０及び第２粘着層５７４の間には、フレキシブルディスプレイ５５６が介在する。
【００４１】
図１６に示すように、複数の第１空白領域５６６は、第１方向Ｄ１に並ぶ複数の第１領域５６６ａを有する。複数の第２空白領域５７６は、第１方向Ｄ１に並ぶ複数の第２領域５７６ａを有する。複数の第１空白領域５６６の複数の第１領域５６６ａ及び複数の第２空白領域５７６の複数の第２領域５７６ａは、相互に重なって同一方向（第１方向Ｄ１）に並ぶ。第１領域５６６ａの幅Ｗ111は、第２領域５７６ａの幅Ｗ222よりも大きい。
【００４２】
図１４において、第１領域５６６ａ及び第２領域５７６ａが重なる位置では、第１粘着層５７０がある側（表示面）が凸になるように、表示装置を折り曲げるようになっている（図１３参照）。この屈曲に適するように、第１領域５６６ａの幅Ｗ111が、第２領域５７６ａの幅Ｗ222よりも大きくなっている。
【００４３】
図１６に示すように、複数の第１空白領域５６６は、第１方向Ｄ１に並ぶ複数の第３領域５６６ｂを有する。複数の第２空白領域５７６は、第１方向Ｄ１に並ぶ複数の第４領域５７６ｂを有する。複数の第１空白領域５６６の複数の第３領域５６６ｂ及び複数の第２空白領域５７６の複数の第４領域５７６ｂは、相互に重なって同一方向（第１方向Ｄ１）に並ぶ。第４領域５７６ｂの幅Ｗ444は、第３領域５６６ｂの幅Ｗ333よりも大きい。
【００４４】
図１４において、第３領域５６６ｂ及び第４領域５７６ｂが重なる位置では、第１粘着層５７０がある側（表示面）が凹になるように、表示装置を折り曲げるようになっている（図１３参照）。この屈曲に適するように、第４領域５７６ｂの幅が、第３領域５６６ｂの幅よりも大きくなっている。その他の内容は、第１〜４のいずれかの実施形態で説明した内容が該当する。
【００４５】
なお、表示装置は、有機エレクトロルミネッセンス表示装置には限定されず、量子ドット発光素子（ＱＬＥＤ：Quantum‐Dot Light Emitting Diode）のような発光素子を各画素に備えた表示装置であってもよいし、液晶表示装置であってもよい。
【００４６】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４７】
１０  第１フレキシブルプリント基板、１２  集積回路チップ、１４  第２フレキシブルプリント基板、１６  フレキシブル基板、１６ａ  第１面、１６ｂ  第２面、１８  アンダーコート層、２０  半導体層、２２  ソース電極、２４  ドレイン電極、２６  ゲート絶縁膜、２８  ゲート電極、３０  層間絶縁膜、３２  薄膜トランジスタ、３４  パッシベーション膜、３６  平坦化層、３８  下部電極、４０  コンタクトホール、４２  絶縁層、４４  発光層、４６  上部電極、４８  発光素子、５０  封止層、５２  有機膜、５４  無機膜、５６  フレキシブルディスプレイ、５８  カバーフィルム、６０  カバー粘着層、６２  フィルム、６２  フィルム、６４  粘着層、６４ａ  周縁部、６６  空白領域、１００  表示装置、２１６  フレキシブル基板、２６２  フィルム、２６４  粘着層、２６６  空白領域、３００  表示装置、３１６  フレキシブル基板、３１６ａ  第１面、３１６ｂ  第２面、３４８  発光素子、３５０  封止層、３５６  フレキシブルディスプレイ、３６６  第１空白領域、３６６ａ  第１部分、３６６ｂ  第２部分、３６８  第１フィルム、３７０  第１粘着層、３７２  第２フィルム、３７４  第２粘着層、３７６  第２空白領域、３７６ａ  第３部分、３７６ｂ  第４部分、４５６  フレキシブルディスプレイ、４６６  第１空白領域、４７０  第１粘着層、４７４  第２粘着層、４７６  第２空白領域、５００  表示装置、５５６  フレキシブルディスプレイ、５６６  第１空白領域、５６６ａ  第１領域、５６６ｂ  第３領域、５７０  第１粘着層、５７４  第２粘着層、５７６  第２空白領域、５７６ａ  第２領域、５７６ｂ  第４領域、ＡＸ  軸、Ｄ１  第１方向、Ｄ２  第２方向、ＤＡ  表示領域、Ｗ１  幅、Ｗ２  幅、Ｗ11  幅、Ｗ22  幅、Ｗ33  幅、Ｗ44  幅、Ｗ111  幅、Ｗ222  幅、Ｗ333  幅、Ｗ444  幅。
【図１】
2018072618.tif 000003
【図２】
2018072618.tif 000004
【図３】
2018072618.tif 000005
【図４】
2018072618.tif 000006
【図５】
2018072618.tif 000007
【図６】
2018072618.tif 000008
【図７】
2018072618.tif 000009
【図８】
2018072618.tif 000010
【図９】
2018072618.tif 000011
【図１０】
2018072618.tif 000012
【図１１】
2018072618.tif 000013
【図１２】
2018072618.tif 000014
【図１３】
2018072618.tif 000015
【図１４】
2018072618.tif 000016
【図１５】
2018072618.tif 000017
【図１６】
2018072618.tif 000018